(57)【特許請求の範囲】
【請求項１】
室内熱交換器、室内送風機、吸込空気の温度を検出する吸込温度センサおよび室内機コントローラを備えた室内機と、圧縮機、室外熱交換器、室外送風機および外気温度を検出する外気温センサを備えた室外機とから構成されている空気調和機において、
前記室内機コントローラの制御基板に設けられているファン駆動用出力端子に、前記室内機とは別に室内に設置されている換気ファンが接続され、
前記室内機コントローラを介して前記換気ファンが前記吸込温度センサおよび外気温センサの検出温度に基づいてオンオフ制御可能とされているとともに、
前記室内機コントローラは、外気を取り入れている冷房時に前記空気調和機がサーモオフしたとき、その時の吸込空気温度もしくは設定温度をＴａ・ｏｆｆとし、該Ｔａ・ｏｆｆに基づいて吸込空気温度が、吸込空気温度＜Ｔａ・ｏｆｆのとき、前記換気ファンをオフするように構成されていることを特徴とする空気調和機。
【請求項２】
前記室内機コントローラは、前記吸込温度センサおよび前記外気温センサの検出温度に基づいて、冷房時には、吸込空気温度＞外気温度のとき、また、暖房時には、吸込空気温度＜外気温度のとき、前記換気ファンをオンするように構成されていることを特徴とする請求項１に記載の空気調和機。
【請求項３】
前記室内機コントローラは、予め設定されている時間毎に、前記吸込温度センサおよび前記外気温センサの検出温度に基づいて、前記換気ファンのオンオフ判定を行うように構成されていることを特徴とする請求項１または２に記載の空気調和機。
【請求項４】
前記室内機コントローラは、前記空気調和機の運転開始時、前記室内送風機および前記室外送風機を一定時間オンとした後、前記換気ファンのオンオフ判定を行うように構成されていることを特徴とする請求項１ないし３のいずれかに記載の空気調和機。
【請求項５】
室内熱交換器、室内送風機、吸込空気の温度を検出する吸込温度センサおよび室内機コントローラを備えた室内機と、圧縮機、室外熱交換器、室外送風機および外気温度を検出する外気温センサを備えた室外機とから構成されている空気調和機において、
前記室内機コントローラの制御基板に設けられているファン駆動用出力端子に、前記室内機とは別に室内に設置されている換気ファンが接続され、
前記室内機コントローラを介して前記換気ファンが前記吸込温度センサおよび外気温センサの検出温度に基づいてオンオフ制御可能とされているとともに、
前記室内機コントローラは、前記吸込温度センサおよび前記外気温センサの検出温度に基づいて、冷房時には、吸込空気温度＞外気温度のとき、また、暖房時には、吸込空気温度＜外気温度のとき、前記換気ファンをオンとし、外気を取り入れている外気冷房時に前記空気調和機がサーモオフしたとき、それに連動して前記換気ファンをオフするように構成されていることを特徴とする空気調和機。
【発明の詳細な説明】
【技術分野】
【０００１】
本発明は、室内機コントローラの制御基板に設けられているファン駆動用の出力端子を介して、室内機とは別に室内に設置されている換気ファンを駆動可能とした空気調和機に関するものである。
【背景技術】
【０００２】
中小規模のビルや店舗等の空調に用いられる中大型の空気調和機として、例えば室内の天井等に設置される室内機と、屋外に設置される室外機とからなる空気調和機が知られている。この空気調和機としては、室内機が１台のシングルタイプと複数台のマルチタイプとがあり、いずれも室内機には、室内熱交換器、室内送風機、室内機コントローラおよび吸込空気温度センサ等が内蔵され、室外機には、圧縮機、室外熱交換器、室外送風機および外気温センサ等が内蔵されている。室内機と室外機は、冷媒配管および通信線等を介して接続され、室内機に繋がれている運転操作用のリモコンから設定された運転モード、設定温度、設定風量等に基づいて、運転されるようになっている。
【０００３】
一方、ビル等の空調では、空気調和機による冷暖房以外に、換気が必要であり、新鮮な外気を導入するために換気ファンが設置されている。この換気ファンとしては、空気調和機の室内機内に換気ファンが組み込まれて一体化されているものと、換気ファンが空気調和機とは別に独立して設置されているものとがある。前者の例として、特許文献１，２に示されるように、外気温と室温とを検出し、低温の外気または高温の外気を導入することにより、外気冷房または外気暖房が行えるようにしたものが知られている。
【先行技術文献】
【特許文献】
【０００４】
【特許文献１】特開平６−１８５７８５号公報
【特許文献２】特開平７−１６７４７７号公報
【発明の概要】
【発明が解決しようとする課題】
【０００５】
しかしながら、特許文献１，２に示されるように、空気調和機に換気ファンが一体に組み込まれているものでは、空気調和機を多機能化することができる反面、空気調和機の室内機が大型化して高価になるとともに、換気ファンを必要としない場合は、換気ファンが組み込まれていない別構成の室内機を用意しなければならず、機種の増加により汎用性が低下してしまう等の課題があった。
一方、換気ファンと空気調和機とが別に独立して設置されるものでは、それぞれが独立して運転されることになるため、空気調和機側から換気ファンを自在に制御し、外気冷房または外気暖房を行うことが困難になる等の問題があった。
【０００６】
本発明は、このような事情に鑑みてなされたものであって、既存の空気調和機および換気ファンのまま、簡易な構成にて空気調和機側からの指令で換気ファンをオンオフして外気冷房または外気暖房を実現し、熱負荷を軽減して省エネ運転できる空気調和機を提供することを目的とする。
【課題を解決するための手段】
【０００７】
上記した課題を解決するために、本発明の空気調和機は、以下の手段を採用する。
すなわち、本発明にかかる空気調和機は、室内熱交換器、室内送風機、吸込空気の温度を検出する吸込温度センサおよび室内機コントローラを備えた室内機と、圧縮機、室外熱交換器、室外送風機および外気温度を検出する外気温センサを備えた室外機とから構成されている空気調和機において、前記室内機コントローラの制御基板に設けられているファン駆動用出力端子に、前記室内機とは別に室内に設置されている換気ファンが接続され、前記室内機コントローラを介して前記換気ファンが前記吸込温度センサおよび外気温センサの検出温度に基づいてオンオフ制御可能とされているとともに、前記室内機コントローラは、外気を取り入れている冷房時に前記空気調和機がサーモオフしたとき、その時の吸込空気温度もしくは設定温度をＴａ・ｏｆｆとし、該Ｔａ・ｏｆｆに基づいて吸込空気温度が、吸込空気温度＜Ｔａ・ｏｆｆのとき、前記換気ファンをオフするように構成されていることを特徴とする。
【０００８】
本発明によれば、室内機コントローラの制御基板に設けられているファン駆動用出力端子に、室内機とは別に室内に設置されている換気ファンが接続され、この換気ファンが室内機コントローラを介して吸込温度センサおよび外気温センサの検出温度に基づいてオンオフ制御可能とされているとともに、室内機コントローラが、外気を取り入れている冷房時に空気調和機がサーモオフしたとき、その時の吸込空気温度もしくは設定温度をＴａ・ｏｆｆとし、該Ｔａ・ｏｆｆに基づいて吸込空気温度が、吸込空気温度＜Ｔａ・ｏｆｆのとき、換気ファンをオフする構成とされているため、冷暖房運転時の低外気温時や高外気温時等に室内機コントローラにより換気ファンをオンとし、積極的に低温の外気や高温の外気を室内に取り入れることによって、空気調和機で処理する熱負荷を軽減することができる。従って、空気調和機を省エネ運転することができる。また、この外気冷房あるいは外気暖房は、空気調和機本来の温調制御とは独立した機能であり、本制御を追加しても空気調和機本来の機能を検証する必要はなく、容易に実施化することができる。更に、吸込温度センサおよび外気温センサとして既設のセンサをそのまま兼用化することができ、しかも室内機コントローラの制御基板に設けられている既設のファン駆動用出力端子に換気ファンを接続するだけで、新たな接続機器を準備することなく、簡単にかつ低コストで既存の空気調和機および換気ファンに新機能を付加することができる。その上、外気冷房時に室温（吸込空気温度）が設定温度に到達して空気調和機がサーモオフされたとき、吸込空気温度がＴａ・ｏｆｆ（サーモオフ時の吸込空気温度もしくは設定温度）よりも低くなった場合、換気ファンをオフすることによって外気の取り入れを停止することができることから、外気冷房時、外気の取り入れによる室温の下がり過ぎを防ぐことができ、快適性を維持することができる。
【０００９】
さらに、本発明の空気調和機は、上記の空気調和機において、前記室内機コントローラは、前記吸込温度センサおよび前記外気温センサの検出温度に基づいて、冷房時には、吸込空気温度＞外気温度のとき、また、暖房時には、吸込空気温度＜外気温度のとき、前記換気ファンをオンするように構成されていることを特徴とする。
【００１０】
本発明によれば、室内機コントローラが、吸込温度センサおよび外気温センサの検出温度に基づいて、冷房時には、吸込空気温度＞外気温度のとき、また、暖房時には、吸込空気温度＜外気温度のとき、換気ファンをオンするように構成されているため、冷房時、吸込空気温度＞外気温度のとき、また、暖房時、吸込空気温度＜外気温度のとき、換気ファンをオンすることによって積極的に低温の外気や高温の外気を室内に取り入れ、外気冷房または外気暖房を行うことができる。従って、空気調和機の熱負荷を軽減し、空気調和機を省エネ運転することができる。
【００１１】
さらに、本発明の空気調和機は、上述のいずれかの空気調和機において、前記室内機コントローラは、予め設定されている時間毎に、前記吸込温度センサおよび前記外気温センサの検出温度に基づいて、前記換気ファンのオンオフ判定を行うように構成されていることを特徴とする。
【００１２】
本発明によれば、室内機コントローラが、予め設定されている時間毎に、吸込温度センサおよび外気温センサの検出温度に基づいて、換気ファンのオンオフ判定を行うように構成されているため、予め設定されている時間、例えば５分毎に吸込空気温度と外気温度とに基づいて換気ファンのオンオフ判定を行い、所定の条件が満たされているとき、外気を導入して外気冷房または外気暖房を行うことができる。従って、換気ファンのオンオフハンチングを防止しつつ、安定した外気冷房または外気暖房を行うことができる。
【００１３】
さらに、本発明の空気調和機は、上述のいずれかの空気調和機において、前記室内機コントローラは、前記空気調和機の運転開始時、前記室内送風機および前記室外送風機を一定時間オンとした後、前記換気ファンのオンオフ判定を行うように構成されていることを特徴とする。
【００１４】
本発明によれば、室内機コントローラが、空気調和機の運転開始時、室内送風機および室外送風機を一定時間オンとした後、換気ファンのオンオフ判定を行うように構成されているため、仮に吸込温度センサや外気温センサの周りに空気が滞留して熱が籠っていたとしても、室内送風機および室外送風機を一定時間オンとすることにより、センサ周りの空気を入れ替えることができる。従って、吸込温度センサおよび外気温センサを介して常に正確な吸込空気温度および外気温度を検出することができ、高精度でかつ安定した外気冷房または外気暖房を行うことができる。
【００１５】
さらに、本発明にかかる空気調和機は、室内熱交換器、室内送風機、吸込空気の温度を検出する吸込温度センサおよび室内機コントローラを備えた室内機と、圧縮機、室外熱交換器、室外送風機および外気温度を検出する外気温センサを備えた室外機とから構成されている空気調和機において、前記室内機コントローラの制御基板に設けられているファン駆動用出力端子に、前記室内機とは別に室内に設置されている換気ファンが接続され、前記室内機コントローラを介して前記換気ファンが前記吸込温度センサおよび外気温センサの検出温度に基づいてオンオフ制御可能とされているとともに、前記室内機コントローラは、前記吸込温度センサおよび前記外気温センサの検出温度に基づいて、冷房時には、吸込空気温度＞外気温度のとき、また、暖房時には、吸込空気温度＜外気温度のとき、前記換気ファンをオンとし、外気を取り入れている外気冷房時に前記空気調和機がサーモオフしたとき、それに連動して前記換気ファンをオフするように構成されていることを特徴とする。
【００１６】
本発明によれば、冷暖房運転時の低外気温時や高外気温時等に室内機コントローラにより換気ファンをオンとし、積極的に低温の外気や高温の外気を室内に取り入れることによって、空気調和機で処理する熱負荷を軽減することができる。従って、空気調和機を省エネ運転することができる。また、この外気冷房あるいは外気暖房は、空気調和機本来の温調制御とは独立した機能であり、本制御を追加しても空気調和機本来の機能を検証する必要はなく、容易に実施化することができる。更に、吸込温度センサおよび外気温センサとして既設のセンサをそのまま兼用化することができ、しかも室内機コントローラの制御基板に設けられている既設のファン駆動用出力端子に換気ファンを接続するだけで、新たな接続機器を準備することなく、簡単にかつ低コストで既存の空気調和機および換気ファンに新機能を付加することができる。その上、外気冷房時に室温（吸込空気温度）が設定温度に到達して空気調和機がサーモオフとされたとき、それに連動して換気ファンをオフすることによって、外気の取り入れを停止することができることから、外気冷房時、外気を取り入れによる室温の下がり過ぎを防ぐことができ、快適性を維持することができる。
【発明の効果】
【００１７】
本発明によると、冷暖房運転時の低外気温時や高外気温時等に室内機コントローラにより換気ファンをオンとし、積極的に低温の外気や高温の外気を室内に取り入れることによって、空気調和機で処理する熱負荷を軽減することができるため、空気調和機を省エネ運転することができる。また、この外気冷房あるいは外気暖房は、空気調和機本来の温調制御とは独立した機能であり、本制御を追加しても空気調和機本来の機能を検証する必要はなく、容易に実施化することができる。更に、吸込温度センサおよび外気温センサとして既設のセンサをそのまま兼用化することができ、しかも室内機コントローラの制御基板に設けられている既設のファン駆動用出力端子に換気ファンを接続するだけで、新たな接続機器を準備することなく、簡単にかつ低コストで既存の空気調和機および換気ファンに新機能を付加することができる。その上、外気冷房時に室温（吸込空気温度）が設定温度に到達して空気調和機がサーモオフされたとき、吸込空気温度がＴａ・ｏｆｆ（サーモオフ時の吸込空気温度もしくは設定温度）よりも低くなった場合、換気ファンをオフすることによって外気の取り入れを停止することができるため、外気冷房時、外気の取り入れによる室温の下がり過ぎを防ぐことができ、快適性を維持することができる。
【００１８】
また、本発明によると、外気冷房時に室温（吸込空気温度）が設定温度に到達して空気調和機がサーモオフとされたとき、それに連動して換気ファンをオフすることによって、外気の取り入れを停止することができるため、外気冷房時、外気を取り入れによる室温の下がり過ぎを防ぐことができ、快適性を維持することができる。
【図面の簡単な説明】
【００１９】
【図１】本発明の一実施形態に係る空気調和機の概略構成図である。
【図２】図１に示す空気調和機の制御系の回路図である。
【図３】図１に示す空気調和機の外気冷房時の制御フロー図である。
【図４】図１に示す空気調和機の外気冷房時の制御系の変形例の説明図である。
【図５】図１に示す空気調和機の外気冷房時の室温下がり過ぎ防止策の制御フロー図である。
【図６】図５示す外気冷房時の室温下がり過ぎ防止策の変形例の説明図である。
【発明を実施するための形態】
【００２０】
以下に、本発明にかかる実施形態について、図１ないし図６を参照して説明する。
図１には、本発明の一実施形態に係る空気調和機の概略構成図が示されている。ここでは、天埋め型空気調和機１が例示されている。この空気調和機１は、室内機が１台接続されているシングルタイプの空気調和機が示されているが、室内機が複数台接続されているマルチタイプの空気調和機であってもよい。空気調和機１は、室内２の天井面３に設置される室内機４と、屋外に設置される室外機５とから構成されている。
【００２１】
室内機４は、室内熱交換器６、室内送風機７、室内機コントローラ８、吸込温度センサ９等を備え、室外機５は、図示省略の圧縮機、室外熱交換器、室外送風機、室外機コントローラ１０、外気温センサ１１等を備えている。この室内機４と室外機５とは、図示省略の冷媒配管および通信線１２を介して接続されている。室内機４は、室内送風機７を介して室内２から吸込んだ空気を室内熱交換器６で冷媒と熱交換させて冷却または加熱し、その空気を室内２に吹出すことによって、室内２の冷房または暖房に供するものである。
【００２２】
この室内機４には、ワイヤードリモコン（以下、単にリモコンという）１３が接続されており、更に、このリモコン１３からの指令に基づいて空気調和機１を運転する室内機コントローラ８と、室内２から吸込まれた吸込空気の温度を検出する吸込温度センサ９とが設けられている。リモコン１３は、オンオフボタン、運転モード切替えボタン、温度設定ボタン、風量設定ボタン等の各種運転操作ボタンを備えており、空気調和機１の運転操作を行うものである。
【００２３】
また、室内２の天井面３内には、ダクト１４を介して屋外からの新鮮な外気を室内２に導入するための換気ファン１５が設置され、ファンモータ１６を介して駆動可能とされている。この換気ファン１５は、空気調和機１とは独立して運転できるように構成されているとともに、室内機４からの指令によってもオンオフ制御される構成とされている。図２には、その制御系の回路図が示されている。
【００２４】
室内機４側の室内機コントローラ８には、室内側制御基板１７が設けられ、また、室外機５側の室外機コントローラ１０には、室外側制御基板１８が設けられており、両制御基板１７，１８は、通信線１２を介して接続されている。室内側制御基板１７には、上記吸込温度センサ９が接続され、また、室外側制御基板１８には、外気温を検出する外気温センサ１１が接続されており、室内機コントローラ８は、吸込温度センサ９および外気温センサ１１の検出値に基づいて、換気ファン１５をオンオフ制御する機能を備えている。
【００２５】
室内側制御基板１７には、ファン駆動用の出力端子１９が設けられており、このファン駆動用出力端子１９に換気ファン１５が接続されている。換気ファン１５は、室内側制御基板１７からの出力によりリレー２０が制御され、その接点２０Ａを介してファンモータ１６がオンオフ制御されることにより駆動される構成とされている。図３には、空気調和機１を冷房運転している時、換気ファン１５を運転して低温の外気を導入し、外気冷房を行う場合の制御フロー図が示されている。以下に、この外気冷房機能を、図３を用いて説明する。
【００２６】
ステップＳ１において、冷房運転が開始されると、ステップＳ２に移行し、室内送風機７および室外送風機（図示省略）を一定時間オンとして吸込温度センサ９および外気温センサ１１周りの空気を入れ替え、正確な吸込空気温度および外気温度を検出できるようにする。その後、ステップＳ３に移行し、吸込温度センサ９および外気温センサ１１で検出された室内機吸込空気温度と室外機吸込空気温度（外気温度）とを比較し、
室内機吸込空気温度＞室外機吸込空気温度（外気温度）＋αｃ
ただし、αｃは、ダクト１４等での熱交換を考慮した変更可能な任意の補正値
を満たしているか否かを判断する。
【００２７】
ステップＳ３で「ＮＯ」と判断された場合、ステップＳ４に移行し、換気ファン１５に対する出力をオフにしてステップＳ５に移行する。ステップＳ５では、例えば５分間タイマーにより所定時間をカウントした後、ステップＳ３に戻り、外気温度が室内機４の吸込空気温度よりも高い場合には、同様の動作を繰り返す。このため、空気調和機１により通常の冷房運転が継続されることになる。一方、外気温度が室内機４の吸込空気温度よりも低くなり、ステップＳ３で「ＹＥＳ」と判断された場合、ステップＳ６に移行し、換気ファン１５にオン指令が出力され、リレー２０およびその接点２０Ａを介してファンモータ１６が駆動される。これによって、換気ファン１５が運転され、低温の外気導入による外気冷房が実現されることになる。
【００２８】
ステップＳ６で換気ファン１５がオンされると、ステップＳ７に移行し、例えば５分間タイマーにより所定の時間をカウントした後、再びステップＳ３に戻り、以下同様の動作が繰り返される。このようにして、所定時間毎、例えば５分毎に「室内機吸込空気温度＞室外機吸込空気温度（外気温度）＋αｃ？」を判定し、この条件を満たす場合、外気を導入して外気冷房を行うことができる。
【００２９】
なお、上記では、冷房運転時に、外気温度が室内機４の吸込空気温度よりも低いとき、換気ファン１５により外気を導入して外気冷房を行う場合について説明したが、同様に暖房運転時に、外気温度が室内機４の吸込空気温度よりも高い場合、
室内機吸込空気温度＜室外機吸込空気温度（外気温度）−αｈ
ただし、αｈは、ダクト１４等での熱交換を考慮した変更可能な任意の補正値
を満たしているか否かを判断し、高温の外気を室内２に取り入れることによって、外気暖房を行うようにしてもよい。
【００３０】
また、上記の例では、ステップＳ３ないしステップＳ７により、所定時間毎に室内機吸込空気温度と室外機吸込空気温度（外気温度）とを比較して、外気冷房または外気暖房が可能か否かを判定して換気ファン１５をオンオフ制御するようにしているが、図４に示されるように、換気ファン１５を所定のディファレンシャルを以ってオンオフ制御（この例は冷房時のもの）するようにしてもよい。
【００３１】
斯くして、本実施形態によれば、以下の作用効果を奏する。
上記の空気調和機１では、通常の冷暖房運転時、室内送風機７を介して室内から空気を吸込み、該空気を室内熱交換器６で冷媒と熱交換させて冷却または加熱した後、室内に吹出すことにより、室内を冷房または暖房することができる。この間、吸込温度センサ９で検出された吸込空気温度がリモコン１３により設定された設定温度に達すると、空気調和機１はサーモオフされ、室内熱交換器６に対する冷媒の循環が停止されるとともに、室内送風機７が停止または微風運転されるようになる。
【００３２】
一方、冷房運転時あるいは暖房運転時に、吸込温度センサ９および外気温センサ１１の検出温度に基づいて、外気温度が室内２からの吸込空気温度よりも低い場合あるいは高い場合、すなわち、冷房運転時には、吸込空気温度＞外気温度のとき、また、暖房運転時には、吸込空気温度＜外気温度のとき、室内機コントローラ８を介して、その室内側制御基板１７のファン駆動用出力端子１９に接続されている換気ファン１５をオンオフ制御することによって、積極的に低温の外気や高温の外気を室内２に取り入れ、外気冷房あるいは外気暖房を行うことができる。
【００３３】
これにより、空気調和機１で処理する熱負荷を軽減することができ、その結果、空気調和機１を省エネ運転することが可能となる。また、この外気冷房あるいは外気暖房は、空気調和機１本来の温調制御とは独立した機能であり、本制御を追加しても空気調和機１本来の機能を検証する必要はなく、容易に実施化することができる。さらに、吸込温度センサ９および外気温センサ１１として既設のセンサをそのまま兼用化することができ、しかも室内機コントローラ８の室内側制御基板１７に設けられている既設のファン駆動用出力端子１９に換気ファン１５を接続するだけで、新たな接続機器を準備することなく、簡単にかつ低コストで既存の空気調和機１および換気ファン１５に対して新機能を付加することができる。
【００３４】
また、室内機コントローラ８は、予め設定されている時間毎に、吸込温度センサ９および外気温センサ１１の検出温度に基づいて、換気ファン１５のオンオフ判定を行うように構成されており、予め設定されている時間、例えば５分毎に吸込空気温度と外気温度とに基づいて換気ファン１５のオンオフ判定を行い、所定の条件が満たされているときに、外気を導入して外気冷房または外気暖房が行われるようになっている。このため、換気ファン１５のオンオフハンチングを防止しつつ、安定した外気冷房または外気暖房を行うことができる。なお、換気ファン１５を所定のディファレンシャルを以ってオンオフ制御する場合も同様の効果を得ることができる。
【００３５】
さらに、室内機コントローラ８は、空気調和機１の運転開始時、室内送風機７および室外送風機（図示省略）を一定時間オンとした後、換気ファン１５のオンオフ判定を行うように構成されている。このため、仮に吸込温度センサ９や外気温センサ１１の周りに空気が滞留して熱が籠っていたとしても、室内送風機７および室外送風機を一定時間オンとすることによって、センサ周りの空気を入れ替えることができる。従って、吸込温度センサ９および外気温センサ１１を介して常に正確な吸込空気温度および外気温度を検出することができ、高精度でかつ安定した外気冷房または外気暖房を行うことができる。
【００３６】
なお、上記実施形態では、外気冷房時に室温が下がり過ぎる場合があり得るので、以下にその防止策を図５および図６を用いて説明する。
つまり、上記実施形態では、換気ファン１５がオンされている外気冷房中に、空気調和機１がサーモオフとされた場合、そのまま低温の外気を導入し続けると、室温が低下し過ぎる場合もあり得るので、それを防止する機能を付加している。図５は、その室温下がり過ぎ防止機能を示す制御フロー図である。
【００３７】
ステップＳ１１において、空気調和機（エアコン）１がサーモオフした場合、ステップＳ１２に移行し、その時に吸込温度センサ９で検出された室内吸込空気温度Ｔａ・ｏｆｆを記憶する。続いて、ステップＳ１３に移行し、所定の時間、例えば１分間タイマーによる時間をカウント後、ステップＳ１４に移行し、その時の吸込空気温度とＴａ・ｏｆｆとを比較し、
吸込空気温度＜Ｔａ・ｏｆｆ−αｃ２
ただし、αｃ２は、予め設定される温度で、αｃ２＝１〜３℃程度とされる
を満たしているか否かが判断され、「ＮＯ」であれば、ステップＳ１３に戻り、１分毎に同様の動作が繰り返される。
【００３８】
ステップＳ１４で「ＹＥＳ」と判定されると、ステップＳ１５に移行し、換気ファン１５に対してオフ出力が出され、換気ファン１５の運転が停止される。これによって、外気の導入が停止されることとなり、低温の外気を導入し続けることによる室温の下がり過ぎを防止することができる。ステップＳ１５で換気ファン１５の運転が停止されると、ステップＳ１６に移行し、吸込空気温度が設定温度よりも上昇された時点で空気調和機１がサーモオンされ、再び冷房運転が開始される。その後は、図３に示されている制御フローに従って換気ファン１５のオンオフが判定されることになる。
【００３９】
このように、外気冷房時に室温（吸込空気温度）が設定温度に到達して空気調和機１がサーモオフされたとき、吸込空気温度がＴａ・ｏｆｆ（サーモオフ時の吸込空気温度）よりも低くなった場合、換気ファン１５をオフすることによって外気の取り入れを停止することができるため、外気の取り入れによる室温の下がり過ぎを防ぐことができ、快適性を維持することができる。
【００４０】
なお、上記した実施形態では、空気調和機１がサーモオフした時の室内吸込空気温度をＴａ・ｏｆｆとして記憶し、この温度と所定時間経過毎の吸込空気温度とを比較して換気ファン１５をオフするか否かを判断しているが、リモコン１３により設定された室温設定温度をＴａ・ｏｆｆとしてもよい。また、１分間タイマーは、これに限らず、任意の時間タイマーとしてもよい。
【００４１】
さらに、上記実施形態では、空気調和機１がサーモオフした時、所定時間経過毎の吸込空気温度を見ながら、換気ファン１５をオフするか否かを判断しているが、空気調和機１がサーモオフした時、これに連動して換気ファン１５をオフするようにしてもよく、この場合、図６に示されるように、サーモオフ前後の「リモコン設定温度＋αｆ・ｏｆｆ」（ただし、αｆ・ｏｆｆは、αｆ・ｏｆｆ＝−２ｄｅｇ〜＋２ｄｅｇとされる。）で換気ファン１５をオンオフするようにしてもよい。
【００４２】
なお、本発明は、上記実施形態にかかる発明に限定されるものではなく、その要旨を逸脱しない範囲において、適宜変形が可能である。例えば、上記実施形態では、室内機４が１台の場合について説明したが、室内機４が複数台接続されているマルチタイプの場合においては、同一の室内に複数台設置される室内機４中の少なくとも１台によって換気ファン１５をオンオフ制御できるように構成すればよい。
【００４３】
また、上記の実施形態において説明した制御温度値や時間設定値等は、あくまでも一例にすぎないものであって、これに制限されるものではなく、適宜最良の値が設定されることは云うまでもないことである。
【符号の説明】
【００４４】
１  空気調和機
４  室内機
５  室外機
６  室内熱交換器
７  室内送風機
８  室内機コントローラ
９  吸込温度センサ
１１  外気温センサ
１５  換気ファン
１６  ファンモータ
１７  室内側制御基板
１９  ファン駆動用出力端子
２０  リレー
２０Ａ  リレー接点
【図１】
0005804689.tif 000002
【図２】
0005804689.tif 000003
【図３】
0005804689.tif 000004
【図４】
0005804689.tif 000005
【図５】
0005804689.tif 000006
【図６】
0005804689.tif 000007